【手続補正書】
【提出日】平成22年1月19日(2010.1.19)
【手続補正１】
【補正対象書類名】特許請求の範囲
【補正対象項目名】全文
【補正方法】変更
【補正の内容】
【特許請求の範囲】
【請求項１】
アンテナ導体及びアンテナ導体の給電部が自動車用の窓ガラス板に設けられており、給電部の受信信号が受信機に送られる自動車用高周波ガラスアンテナにおいて、
アンテナ導体が、第１のアンテナエレメント、第２のアンテナエレメント、第１の接続導体及びループ形成エレメントを備え、
第１のアンテナエレメントと第２のアンテナエレメントとは第１の接続導体で接続されており、第１のアンテナエレメントと第２のアンテナエレメントと第１の接続導体とでＵ字状、略Ｕ字状、Ｊ字状又は略Ｊ字状の導体パターンを構成しており、
第１の接続導体とは反対側の第１のアンテナエレメントの先端部もしくは先端部近傍並びにループ形成エレメントと、給電部とが、直接に接続されており、第１のアンテナエレメントとループ形成エレメントとで、もしくは第１の接続導体及び給電部のうちの少なくとも一つと、第１のアンテナエレメント及びループ形成エレメントとで、ループ部が構成されるか、
又は、第１の接続導体とは反対側の第１のアンテナエレメントの先端部もしくは先端部近傍に第２の接続導体とループ形成エレメントとが接続されており、第２の接続導体が給電部に接続され、第１のアンテナエレメントとループ形成エレメントとで、もしくは第１の接続導体、第１のアンテナエレメント及びループ形成エレメントとで、ループ部が構成されていることを特徴とする自動車用高周波ガラスアンテナ。
【請求項２】
前記第１のアンテナエレメントは窓の車体開口縁の近傍に配設されている直線部分を有しており、
該直線部分は該窓の車体開口縁と平行又は略平行である請求項１に記載の自動車用高周波ガラスアンテナ。
【請求項３】
第１の接続導体の所定箇所に接続し、第１のアンテナエレメントと平行又は略平行に前記ループ形成エレメントが伸長されており、かつ給電部側に向かって曲がるか、又は、曲折し、第１のアンテナエレメントの給電部側の先端部又は先端部近傍と接続している請求項１又は２に記載の自動車用高周波ガラスアンテナ。
【請求項４】
前記Ｕ字状、略Ｕ字状、Ｊ字状又は略Ｊ字状の導体パターンをターン導体パターンというとき、
前記第１の接続導体から離れる方向に前記第１のアンテナエレメントが伸長された後、さらに第１のアンテナエレメントはターン導体パターンの外側方向に曲がって伸長されている請求項１〜３のいずれかに記載の自動車用高周波ガラスアンテナ。
【請求項５】
前記Ｕ字状、略Ｕ字状、Ｊ字状又は略Ｊ字状の導体パターンをターン導体パターンというとき、
前記第１の接続導体から離れる方向に前記第２のアンテナエレメントが伸長された後、さらに前記第２のアンテナエレメントがターン導体パターンの内側方向に曲がって伸長されている請求項１〜４のいずれかに記載の自動車用高周波ガラスアンテナ。
【請求項６】
前記ループ部の任意点と、該任意点以外の、別のループ部の点とを接続する短絡用アンテナエレメントを備えている請求項１〜５のいずれかに記載の自動車用高周波ガラスアンテナ。
【請求項７】
アース部が前記窓ガラス板に設けられており、
アース部は給電部の近傍に配設されており、
給電部とアース部との間の受信信号が受信機に送られる請求項１〜６のいずれかに記載の自動車用高周波ガラスアンテナ。
【請求項８】
接地導体が前記窓ガラス板に設けられており、
前記アース部は接地導体に接続されている請求項７に記載の自動車用高周波ガラスアンテナ。
【請求項９】
前記給電部と前記アース部との間の最短間隔が、２〜３０ｍｍである請求項７又は８のいずれかに記載の自動車用高周波ガラスアンテナ。
【請求項１０】
前記第１のアンテナエレメントの長さが、（１／２）・（３５９／４）〜（３／２）・（３５９／４）ｍｍであり、
第１のアンテナエレメントの長さ、前記第１の接続導体の長さ及び前記第２のアンテナエレメントの長さの総和の長さが（３／２）・（３５９／４）〜（９／２）・（３５９／４）ｍｍである請求項１〜９のいずれかに記載の自動車用高周波ガラスアンテナ。
【請求項１１】
所望の放送周波数帯の中心周波数における空気中の波長をλ０といい、ガラス波長短縮率をｋといい、ｋ＝０．６４とし、λｇ＝λ０・ｋとし、
前記ループ形成エレメントの主要部は、ループ形成エレメントの導体長の７０％以上の長さであり、かつ第１のアンテナエレメントと平行又は略平行であり、
第１のアンテナエレメントとループ形成エレメントの主要部との間の間隔が、０．００６５λｇ以上である請求項１〜１０のいずれかに記載の自動車用高周波ガラスアンテナ。
【請求項１２】
前記第２のアンテナエレメントと前記ループ形成エレメントとの間の平均間隔が、０．００６５λｇ以上である請求項１〜１１のいずれかに記載の自動車用高周波ガラスアンテナ。
【請求項１３】
所望の放送周波数帯の中心周波数における空気中の波長をλ０といい、ガラス波長短縮率をｋといい、ｋ＝０．６４とし、λｇ＝λ０・ｋとし、
前記第１のアンテナエレメントと前記第２のアンテナエレメントとの間の間隔が、０．０５６５λｇ〜０．１７０λｇである請求項１〜１２のいずれかに記載の自動車用高周波ガラスアンテナ。
【請求項１４】
所望の放送周波数帯の中心周波数における空気中の波長をλ０といい、ガラス波長短縮率をｋといい、ｋ＝０．６４とし、λｇ＝λ０・ｋとし、
前記給電部が長手方向を有するような形状をしており、
給電部の長手方向が、前記第１のアンテナエレメントの主要部の伸長方向又は長手方向と平行又は略平行であり、
前記給電部の長手方向の最大幅が、０．０７２７λｇ〜０．２１８λｇである請求項１〜１３のいずれかに記載の自動車用高周波ガラスアンテナ。
【請求項１５】
前記第１の接続導体の形状が、半円、略半円、半楕円又は略半楕円の弧である請求項１〜１４のいずれかに記載の自動車用高周波ガラスアンテナ。
【請求項１６】
前記窓ガラス板が、接着層を介して接着される２枚のガラス板を備える合せ窓ガラス板であり、
前記第１のアンテナエレメント、前記第２のアンテナエレメント、前記第１の接続導体、前記ループ形成エレメント及び前記給電部、又は前記第１のアンテナエレメント、前記第２のアンテナエレメント、前記第１の接続導体、前記ループ形成エレメント、前記給電部及び前記第２の接続導体が、上記２枚のガラス板の間に設けられており、
給電部に対向する、該合せガラス板の車内側の面の箇所に対向電極が設けられており、
給電部の受信信号が、容量結合及び電磁結合の少なくとも一方により対向電極に伝送され、
さらに、対向電極の受信信号が受信機に送られる請求項１〜１５のいずれかに記載の自動車用高周波ガラスアンテナ。
【請求項１７】
前記対向電極が長手方向を有するような形状をしており、
前記対向電極の長手方向の最大幅が、前記給電部の長手方向の最大幅の１．０３〜１．５倍である請求項１６に記載の自動車用高周波ガラスアンテナ。
【請求項１８】
前記給電部及び前記対向電極が長手方向を有するような形状をしており、
給電部の長手方向と対向電極の長手方向とが互いに平行又は略平行であり、
対向電極には給電点が設けられており、対向電極の中心より、前記第１のアンテナエレメント側に給電点が配設されている請求項１６又は１７に記載の自動車用高周波ガラスアンテナ。
【請求項１９】
前記アンテナ導体が合成樹脂製フィルムの内部又はその表面に設けられており、該合成樹脂製フィルムが前記窓ガラス板に設けられている請求項１〜１８のいずれかに記載の自動車用高周波ガラスアンテナ。
【請求項２０】
受信する電波の周波数が、４７０〜７７０ＭＨｚの間に存在する周波数を含む請求項１〜１９のいずれかに記載の自動車用高周波ガラスアンテナ。
【請求項２１】
請求項１〜２０のいずれかに記載されている、前記給電部及び前記アンテナ導体が設けられている自動車用の窓ガラス板。
【手続補正２】
【補正対象書類名】明細書
【補正対象項目名】０００６
【補正方法】変更
【補正の内容】
【０００６】
本発明は、アンテナ導体及びアンテナ導体の給電部が自動車用の窓ガラス板に設けられており、給電部の受信信号が受信機に送られる自動車用高周波ガラスアンテナにおいて、
アンテナ導体が、第１のアンテナエレメント、第２のアンテナエレメント、第１の接続導体及びループ形成エレメントを備え、
第１のアンテナエレメントと第２のアンテナエレメントとは第１の接続導体で接続されており、第１のアンテナエレメントと第２のアンテナエレメントと第１の接続導体とでＵ字状、略Ｕ字状、Ｊ字状又は略Ｊ字状の導体パターンを構成しており、
第１の接続導体とは反対側の第１のアンテナエレメントの先端部もしくは先端部近傍並びにループ形成エレメントと、給電部とが、直接に接続されており、第１のアンテナエレメントとループ形成エレメントとで、もしくは第１の接続導体及び給電部のうちの少なくとも一つと、第１のアンテナエレメント及びループ形成エレメントとで、ループ部が構成されるか、
又は、第１の接続導体とは反対側の第１のアンテナエレメントの先端部もしくは先端部近傍に第２の接続導体とループ形成エレメントとが接続されており、第２の接続導体が給電部に接続され、第１のアンテナエレメントとループ形成エレメントとで、もしくは第１の接続導体、第１のアンテナエレメント及びループ形成エレメントとで、ループ部が構成されていることを特徴とする自動車用高周波ガラスアンテナを提供する。
【手続補正３】
【補正対象書類名】明細書
【補正対象項目名】０００９
【補正方法】変更
【補正の内容】
【０００９】
以下、本発明の自動車用高周波ガラスアンテナを添付の図面に示される好適実施形態に基づいて詳細に説明する。図１は本発明の自動車用高周波ガラスアンテナの一実施形態を示す平面図である。